(57)【要約】【課題】  印刷すべき複数の画像を容易に選択して印刷する。【解決手段】  印刷枚数を入力すると共に（Ｓ１５０）、撮影順に一覧表示された画像から最初の画像と最後の画像の異なる二つの画像の選択を受け付けることにより（Ｓ１６０，Ｓ１７０）、選択した二つの画像によって指定された範囲内の画像を印刷すべき画像として設定すると共にその印刷枚数を設定する（Ｓ１８０）。この結果、印刷すべき複数の画像を容易に選択することができると共に印刷枚数を容易に設定することができる。【選択図】        図４
2005072758.tif 000002
【特許請求の範囲】
【請求項１】
印刷装置に接続可能なデジタルカメラであって、
撮影した複数の画像を記憶する記憶手段と、
該記憶手段に記憶した複数の画像を所定の順に一覧表示する一覧表示手段と、
該一覧表示された複数の画像のうち異なる二つの画像の選択を受け付ける選択受付手段と、
該選択受付手段により前記異なる二つの画像の選択が受け付けられたとき、前記所定の順における該異なる二つの画像を含む範囲内の画像を複数の印刷画像として設定する印刷画像設定手段と、
印刷指示がなされたとき、前記印刷画像設定手段により設定された複数の印刷画像が前記印刷装置により印刷されるよう該複数の印刷画像を該印刷装置に送信する印刷画像送信手段と、
を備えるデジタルカメラ。
【請求項２】
前記選択受付手段は、前記所定の順に一覧表示された複数の画像から第１の画像の選択を受け付けると共に前記所定の順に一覧表示された複数の画像から前記第１の画像とは異なる第２の画像の選択を受け付け、該第１の画像の選択の受け付けと該第２の画像の選択の受け付けとを前記異なる二つの画像の選択の受け付けとする手段である請求項１記載のデジタルカメラ。
【請求項３】
前記一覧表示手段は、前記選択受付手段により前記第１の画像の選択が受け付けられたときには該受け付けられた第１の画像を他の画像から識別可能に表示し、前記選択受付手段により前記第２の画像の選択が受け付けられたときには前記異なる二つの画像を含む範囲内の画像を該範囲外の画像から識別可能に表示する手段である請求項２記載のデジタルカメラ。
【請求項４】
前記印刷画像設定手段は、前記一覧表示された複数の画像から画像を選択して印刷枚数を受け付けることにより選択された画像を印刷画像として設定し、前記選択受付手段により前記異なる二つの画像の選択が受け付けられたときには該異なる二つの画像を含む範囲内の各画像が選択されて所定の印刷枚数が受け付けられたものとして該異なる二つの画像を含む範囲内の画像を印刷画像として設定する手段である請求項１ないし３いずれか記載のデジタルカメラ。
【請求項５】
請求項４記載のデジタルカメラであって、
前記選択受付手段は、前記異なる二つの画像の選択に伴って印刷枚数を受け付ける手段であり、
前記印刷画像設定手段は、前記選択受付手段により前記異なる二つの画像の選択に伴って受け付けた印刷枚数を前記所定の印刷枚数として該異なる二つの画像を含む範囲内の画像を印刷画像として設定する手段である
デジタルカメラ。
【請求項６】
前記印刷画像設定手段は、前記設定された印刷画像から画像を選択して印刷枚数を変更可能な手段である請求項４または５記載のデジタルカメラ。
【請求項７】
前記印刷画像設定手段は、前記印刷枚数の変更の際に値０に印刷枚数が変更されたときには対応する印刷画像の設定を解除する手段である請求項６記載のデジタルカメラ。
【請求項８】
前記選択受付手段は、前記印刷画像設定手段により設定された印刷画像を含んで前記異なる二つの画像の選択を受付可能な手段である請求項４ないし７いずれか記載のデジタルカメラ。
【請求項９】
前記一覧表示手段は、前記印刷画像設定手段により設定された印刷画像に対しては該印刷画像に関連付けて該印刷画像の印刷枚数を表示する手段である請求項４ないし８いずれか記載のデジタルカメラ。
【請求項１０】
前記印刷画像設定手段による印刷画像の設定を解除する設定解除手段を備える請求項１ないし９いずれか記載のデジタルカメラ。
【請求項１１】
印刷装置を接続して記憶している複数の画像の印刷指示が可能なデジタルカメラにおける印刷指示方法であって、
前記記憶している複数の画像を所定の順に一覧表示し、
該一覧表示した複数の画像のうち異なる二つの画像の選択を受け付け、
前記異なる二つの画像の選択が受け付けられたとき、前記所定の順における該異なる二つの画像を含む範囲内の画像を複数の印刷画像として設定し、
印刷指示がなされたとき、前記設定した複数の印刷画像が前記印刷装置により印刷されるよう該複数の印刷画像を該印刷装置に送信する
デジタルカメラにおける印刷指示方法。
【発明の詳細な説明】
【技術分野】
【０００１】
本発明は、デジタルカメラおよびその印刷指示方法に関し、詳しくは、印刷装置に接続可能なデジタルカメラおよび印刷装置を接続して記憶している複数の画像の印刷指示が可能なデジタルカメラにおける印刷指示方法に関する。
【背景技術】
【０００２】
従来、この種のデジタルカメラとしては、撮影した画像を表示して印刷すべき画像を個別に選択するものが提案されている（例えば、特許文献１参照）。このデジタルカメラでは、個別に選択した画像に対して印刷枚数や印刷用紙サイズなどの印刷仕様を指定し、その後、印刷指示がなされると画像データをプリンタなどの印刷装置に送信する。
【特許文献１】特開平１１−４６３３１号公報（図７）
【発明の開示】
【発明が解決しようとする課題】
【０００３】
こうしたデジタルカメラでは、印刷すべき画像を個別に選択する必要から、多くの画像を印刷するときには選択操作を何度も行なう必要がある。一括して全ての画像を印刷すべき画像とすることも考えられるが、例えば記憶している１００枚の画像のうちの２０枚程度の画像についてだけ印刷したいときのように一部の画像だけを印刷する場合には不適切なものとなる。
【０００４】
本発明のデジタルカメラおよびその印刷指示方法は、印刷すべき複数の画像を容易に選択することを目的の一つとする。また、本発明のデジタルカメラおよびその印刷指示方法は、印刷すべき複数の画像を印刷枚数を含めて容易に指定することを目的の一つとする。
【課題を解決するための手段】
【０００５】
本発明のデジタルカメラおよびその印刷指示方法は、上述の目的の少なくとも一部を達成するために以下の手段を採った。
【０００６】
本発明のデジタルカメラは、
印刷装置に接続可能なデジタルカメラであって、
撮影した複数の画像を記憶する記憶手段と、
該記憶手段に記憶した複数の画像を所定の順に一覧表示する一覧表示手段と、
該一覧表示された複数の画像のうち異なる二つの画像の選択を受け付ける選択受付手段と、
該選択受付手段により前記異なる二つの画像の選択が受け付けられたとき、前記所定の順における該異なる二つの画像を含む範囲内の画像を複数の印刷画像として設定する印刷画像設定手段と、
印刷指示がなされたとき、前記印刷画像設定手段により設定された複数の印刷画像が前記印刷装置により印刷されるよう該複数の印刷画像を該印刷装置に送信する印刷画像送信手段と、
を備えることを要旨とする。
【０００７】
この本発明のデジタルカメラでは、所定の順に一覧表示された複数の画像のうち異なる二つの画像の選択を受け付け、所定の順における異なる二つの画像を含む範囲内の画像を複数の印刷画像として設定する。即ち、所定の順に一覧表示された画像から異なる二つの画像を選択して範囲指定することにより複数の印刷画像を設定することができるのである。この結果、印刷すべき複数の画像を容易に選択することができる。もとより、設定した印刷画像は、印刷指示がなされることにより印刷装置で印刷することができる。
【０００８】
こうした本発明のデジタルカメラにおいて、前記選択受付手段は、前記所定の順に一覧表示された複数の画像から第１の画像の選択を受け付けると共に前記所定の順に一覧表示された複数の画像から前記第１の画像とは異なる第２の画像の選択を受け付け、該第１の画像の選択の受け付けと該第２の画像の選択の受け付けとを前記異なる二つの画像の選択の受け付けとする手段であるものとすることもできる。この場合、前記一覧表示手段は、前記選択受付手段により前記第１の画像の選択が受け付けられたときには該受け付けられた第１の画像を他の画像から識別可能に表示し、前記選択受付手段により前記第２の画像の選択が受け付けられたときには前記異なる二つの画像を含む範囲内の画像を該範囲外の画像から識別可能に表示する手段であるものとすることもできる。こうすれば、選択された印刷画像を他の画像と容易に識別することができる。
【０００９】
また、本発明のデジタルカメラにおいて、前記印刷画像設定手段は、前記一覧表示された複数の画像から画像を選択して印刷枚数を受け付けることにより選択された画像を印刷画像として設定し、前記選択受付手段により前記異なる二つの画像の選択が受け付けられたときには該異なる二つの画像を含む範囲内の各画像が選択されて所定の印刷枚数が受け付けられたものとして該異なる二つの画像を含む範囲内の画像を印刷画像として設定する手段であるものとすることもできる。こうすれば、異なる二つの画像を含む範囲内の各画像を所定の印刷枚数の印刷画像として容易に設定することができる。
【００１０】
この印刷枚数により印刷画像を設定する態様の本発明のデジタルカメラにおいて、前記選択受付手段は、前記異なる二つの画像の選択に伴って印刷枚数を受け付ける手段であり、前記印刷画像設定手段は、前記選択受付手段により前記異なる二つの画像の選択に伴って受け付けた印刷枚数を前記所定の印刷枚数として該異なる二つの画像を含む範囲内の画像を印刷画像として設定する手段であるのとすることもできる。こうすれば、異なる二つの画像を含む範囲内の各画像を所望の印刷枚数の印刷画像として容易に設定することができる。
【００１１】
また、印刷枚数により印刷画像を設定する態様の本発明のデジタルカメラにおいて、前記印刷画像設定手段は、前記設定された印刷画像から画像を選択して印刷枚数を変更可能な手段であるものとすることもできる。こうすれば、設定した印刷画像の印刷枚数を変更することができる。この態様の本発明のデジタルカメラにおいて、前記印刷画像設定手段は、前記印刷枚数の変更の際に値０に印刷枚数が変更されたときには対応する印刷画像の設定を解除する手段であるものとすることもできる。こうすれば、設定した印刷画像の解除を容易に画像毎に行なうことができる。
【００１２】
さらに、印刷枚数により印刷画像を設定する態様の本発明のデジタルカメラにおいて、前記選択受付手段は、前記印刷画像設定手段により設定された印刷画像を含んで前記異なる二つの画像の選択を受付可能な手段であるものとすることもできる。こうすれば、印刷画像の設定やその印刷枚数の設定の自由度を高めることができる。
【００１３】
あるいは、印刷枚数により印刷画像を設定する態様の本発明のデジタルカメラにおいて、前記一覧表示手段は、前記印刷画像設定手段により設定された印刷画像に対しては該印刷画像に関連付けて該印刷画像の印刷枚数を表示する手段であるものとすることもできる。こうすれば、画像毎の印刷枚数を容易に識別させることができる。
【００１４】
本発明のデジタルカメラにおいて、前記印刷画像設定手段による印刷画像の設定を解除する設定解除手段を備えるものとすることもできる。こうすれば、設定した印刷画像を容易に解除することができる。
【００１５】
本発明のデジタルカメラにおける印刷指示方法は、
印刷装置を接続して記憶している複数の画像の印刷指示が可能なデジタルカメラにおける印刷指示方法であって、
前記記憶している複数の画像を所定の順に一覧表示し、
該一覧表示した複数の画像のうち異なる二つの画像の選択を受け付け、
前記異なる二つの画像の選択が受け付けられたとき、前記所定の順における該異なる二つの画像を含む範囲内の画像を複数の印刷画像として設定し、
印刷指示がなされたとき、前記設定した複数の印刷画像が前記印刷装置により印刷されるよう該複数の印刷画像を該印刷装置に送信する
ことを要旨とする。
【００１６】
この本発明のデジタルカメラにおける印刷指示方法によれば、所定の順に一覧表示された複数の画像のうち異なる二つの画像の選択を受け付け、所定の順における異なる二つの画像を含む範囲内の画像を複数の印刷画像として設定するから、所定の順に一覧表示された画像から異なる二つの画像を選択して範囲指定することにより複数の印刷画像を設定することができる。この結果、印刷すべき複数の画像を容易に選択することができる。もとより、設定した印刷画像は、印刷指示がなされることにより印刷装置で印刷することができる。
【発明を実施するための最良の形態】
【００１７】
次に、本発明を実施するための最良の形態を実施例を用いて説明する。
【実施例】
【００１８】
図１は本発明の一実施例としてのデジタルカメラ２０の外観を例示する斜視図であり、図２は実施例のデジタルカメラ２０の背面を例示する背面図であり、図３は実施例のデジタルカメラ２０の機能ブロックを例示するブロック図である。
【００１９】
実施例のデジタルカメラ２０は、図１に示すように、正面には光学３倍ズームが可能なズーム機構付きレンズ２１と、タイマーを点滅して表示するタイマー点灯部２５とを備え、上部にはモードを選択するモードダイヤル２３と、このモードダイヤル２３の中央に配置された電源ボタン２２と、シャッターボタン２４とを備える。また、デジタルカメラ２０は、図２に示すように、背面３０には、中央の左寄りに配置された液晶ディスプレイ３１と、その右側に配置され上下左右の方向に操作可能な４方向ボタン３２と、背面３０の左上に配置された印刷ボタン３３と、ズーム機能を操作するＷボタン３４ａおよびＴボタン３４ｂと、４方向ボタン３２の左上に配置されたメニューボタン３５と、液晶ディスプレイ３１の下方の左右に配置されたＡボタン３６およびＢボタン３７と、４方向ボタン３２の下方左に配置され液晶ディスプレイ３１への表示を切り替えるディスプレーボタン３８と、その右方向に配置されたレビューボタン３９とを備える。
【００２０】
実施例のデジタルカメラ２０は、機能的には図３に例示するように、中央処理演算装置としてのＣＰＵ４０ａや処理プログラムを記憶するＲＯＭ４０ｂ，一時的にデータを記憶するワークメモリ４０ｃなどを中心として構成されている。デジタルカメラ２０は、撮影系として、レンズや絞りなどにより構成された光学系４２や、この光学系４２により結像される光学像を光電変換して得られる電荷を受光セル毎に一定時間蓄積し受光セル毎の受光量に応じた電気信号を出力するイメージセンサ４３、このイメージセンサ４３を駆動するために必要な駆動パルスをイメージセンサ４３に出力する駆動回路としてのセンサコントローラ４４、イメージセンサ４３から出力される電気信号を量子化してディジタル信号に変換するアナログフロントエンド（ＡＦＥ）部４５、このＡＦＥ部４５から出力されたディジタル信号に対して画像形成処理，ホワイトバランス補正，γ補正，色空間変換等を施して各画素についてＲ，Ｇ，Ｂの階調値やＹ，Ｃｂ，Ｃｒの階調値などを表すディジタル画像を出力するデジタル画像処理部４６、ディジタル画像の系列変換（離散コサイン変換やウェーブレット変換等）及びエントロピー符号化（ランレングス符号化やハフマン符号化等）を行なうことによりディジタル画像を圧縮しそれらの逆変換を施すことによりディジタル画像を伸張する圧縮伸張部４７などを備える。また、実施例のデジタルカメラ２０は、液晶ディスプレイ３１の一画面分のデータを格納するためのフレームバッファやフレームバッファに格納されたディジタル画像に基づいて液晶ディスプレイ３１を駆動するための表示回路を有するディスプレイコントローラ５０やモードダイヤル２３，４方向ボタン３２，各種ボタン２４，３３〜３９の入力および着脱可能なフラッシュメモリなどの記憶媒体５３への入出力を司る入出力インタフェース５２、ＵＳＢ（Universal Serial Bus）接続端子５５に接続された機器（コンピュータやプリンタ）と通信のやり取りを管理するＵＳＢホストコントローラ５４やＵＳＢデバイスコントローラなども備えている。なお、デジタル画像処理部４６により画像処理された画像データや圧縮伸張部４７により圧縮・伸張された画像データは、一旦ワークメモリ４０ｃに書き込まれ、その後、撮影順にＩＤとしてのファイル名が付与されて画像ファイルとして入出力インタフェース５２を介して記憶媒体５３に書き込まれる。
【００２１】
次に、こうして構成された実施例のデジタルカメラ２０の動作、特にＵＳＢ接続端子５５にカラープリンタが接続された状態で撮影した画像を選択して印刷する際の動作について説明する。図４は、こうした印刷指示処理の一例を示すフローチャートである。印刷指示処理は、モードダイヤル２３によってデジタルカメラ２０を再生モードにセットして印刷ボタン３３を押すことにより開始する（ステップＳ１００）。印刷指示処理を開始すると、まず、予めＲＯＭ４０ｂに記憶しておいた画像選択手法を選択するための画面を液晶ディスプレイ３１に表示し、画像選択手法の入力を受け付ける処理を行なう（ステップＳ１１０）。画像選択手法選択画面の一例を図５に示す。図５の例では、液晶ディスプレイ３１の上部には「希望する項目を選んで印刷ボタンを押してください」などのメッセージが表示され、その左下には現在対象となっている画像が表示され、更にその横には「この画面を印刷」の項目と「選んで印刷」の項目とが選択可能に表示される。現在対象になっている画像は、例えば、撮影後に再生モードにしたときには最後に撮影した画像であり、再生モードでコマ送りをしたときには印刷ボタン３３が押されたときに液晶ディスプレイ３１に表示されていた画像である。また、液晶ディスプレイ３１の最下部にはＡボタン３６の機能（「もどる」の機能）やＢボタン３７の機能（この場合、機能なし）が表示される。項目の選択は４方向ボタン３２の上下方向への操作により項目を反転させた状態で印刷ボタン３３を押すことにより行なう。
【００２２】
この画像選択手法選択画面で「選んで印刷」の項目を入力すると、ＲＯＭ４０ｂに予め記憶しておいた図６に例示する画像選択画面を液晶ディスプレイ３１に表示して画像選択の入力を受け付ける処理を行なう（ステップＳ１２０）。図６の例では、液晶ディスプレイ３１の上部には「印刷ボタンで次へ」のように処理に関するメッセージが表示され、その下に撮影順に現在対象となっている画像を含むよう６個の画像が一覧表示される。対象となっている画像については印刷枚数の設定対象を容易に識別することができるように設定対象枠が表示される。また、液晶ディスプレイ３１の最下部にはＡボタン３６の機能（「もどる」の機能）やＢボタン３７の機能（この場合、機能なし）が表示される。設定対象枠は、４方向ボタン３２の上下方向の操作により対象としてる画像の印刷枚数をインクリメントしたりデクリメントすることができる。図６には４方向ボタン３２を上方向に一回だけ操作して印刷枚数を「０１」とした状態を示した。また、設定対象枠は、４方向ボタン３２を左右方向に操作することによりその操作方向に移動させることができる。設定対象枠を左上の画像に移動させた後に４方向ボタン３２を左方向に操作すると、その画像より撮影した日時が前の６個の画像が表示され、直前の日時の右下の画像に設定対象枠が表示される。逆に、設定対象枠を右下の画像に移動させた後に４方向ボタン３２を右方向に操作すると、その画像より撮影した日時が後の６個の画像が表示され、直後の日時の左上の画像に設定対象枠が表示される。したがって、４方向ボタン３２の操作により設定対象枠を所望の画像に合わせ、その状態で４方向ボタン３２を上下方向に操作することにより所望の画像の印刷枚数を設定することができる。なお、実施例では、印刷枚数に「００」を設定することもでき、この場合、その画像は印刷されない。
【００２３】
こうした画像選択画面を表示している状態でメニューボタン３５が押されると、ＲＯＭ４０ｂに予め記憶しておいた図７に例示する画像選択入力画面を液晶ディスプレイ３１に表示して画像選択項目の選択入力を受け付ける処理を行なう（ステップＳ１３０，Ｓ１４０）。図７の例では、液晶ディスプレイ３１の上部に「画像選択」のメニュー項目が表示されると共にその下に「すべての画像を１枚選択」の項目や「すべての画像を選択解除」の項目，「範囲指定選択」の項目が表示され、最下部にはＡボタン３６の機能（「もどる」の機能）やＢボタン３７の機能（「実行」の機能）が表示される。項目の選択は、４方向ボタン３２の上下方向への操作により項目を反転させた状態でＢボタン３７を押すことにより行なう。
【００２４】
この画面で「範囲指定選択」を選択すると、ＲＯＭ４０ｂに予め記憶しておいた図８に例示する印刷枚数入力画面を表示して印刷枚数の入力を受け付ける処理を行なう（ステップＳ１５０）。図８の例では、液晶ディスプレイ３１の上部には「範囲指定選択」の選択したメニュー項目が表示され、その下に印刷枚数を入力する入力欄が表示され、最下部にはＡボタン３６の機能（「もどる」の機能）やＢボタン３７の機能（「実行」の機能）が表示される。この画面では、４方向ボタン３２を上下方向に操作することにより印刷枚数をインクリメントしたりデクリメントして入力し、Ｂボタン３７を押すことによって決定し、次の処理に移行することができる。図８には４方向ボタン３２を２回上方向に操作して印刷枚数を「０２」とした状態を示した。Ｂボタン３７を押すことにより決定した印刷枚数はワークメモリ４０ｃの印刷枚数を書き込むために設定されたアドレスに書き込まれる。
【００２５】
印刷枚数を入力すると、ＲＯＭ４０ｂに予め記憶しておいた図９に例示する最初の画像の設定画面を表示して範囲指定における最初の画像の選択を受け付ける処理を行なう（ステップＳ１６０）。図９の例では、液晶ディスプレイ３１の上部には「最初の画像の選択」などのメッセージが表示され、その下に撮影順に現在対象となっている画像を含む６個の画像が一覧表示され、対象となっている画像については最初の画像を選択するための選択対象枠が表示される。また、液晶ディスプレイ３１の最下部にはＡボタン３６の機能（「もどる」の機能）やＢボタン３７の機能（「決定」の機能）が表示される。選択対象枠は、４方向ボタン３２を上下左右方向に操作することにより移動させることができる。選択対象枠を左上の画像に移動させた後に４方向ボタン３２を左方向に操作すると、その画像より撮影した日時が前の６個の画像が表示され、直前の日時の右下の画像に選択対象枠が表示される。逆に、選択対象枠を右下の画像に移動させた後に４方向ボタン３２を右方向に操作すると、その画像より撮影した日時が後の６個の画像が表示され、直後の日時の左上の画像に選択対象枠が表示される。また、選択対象枠を上段のいずれかの画像に移動させた後に４方向ボタン３２を上方向に操作すると、その画像より撮影した日時が前の６個の画像が表示され、その４方向ボタン３２を操作した際の画像の丁度真下の画像に選択対象枠が表示される。選択対象枠を下段のいずれかの画像に移動させた後に４方向ボタン３２を下方向に操作すると、その画像より撮影した日時が後の６個の画像が表示され、その４方向ボタン３２を操作した際の画像の丁度真上の画像に選択対象枠が表示される。したがって、最初の画像の選択は、４方向ボタン３２を上下左右方向に操作することにより選択対象枠を所望の画像に移動させてＢボタン３７を押すことにより行なう。図９には４方向ボタン３２を上下左右方向に操作して選択対象枠を「画像Ｂ」に移動させた状態を示した。Ｂボタン３７を押して最初の画像を選択すると、選択した画像を識別するＩＤをワークメモリ４０ｃの最初の画像のＩＤを書き込むために設定されたアドレスに書き込む。ここで、画像のＩＤは、実施例では、撮影順に自動的に割り付けられる画像のファイル名を用いるものとした。
【００２６】
最初の画像の選択が受け付けられると、ＲＯＭ４０ｂに予め記憶しておいた図１０に例示する最後の画像の設定画面を表示して範囲指定における最後の画像の選択を受け付ける処理を行なう（ステップＳ１７０）。図１０の例では、液晶ディスプレイ３１の上部には「最後の画像の選択」などのメッセージが表示され、その下には図９の画面を用いて最初の画像を選択した状態における撮影順の６個の画像が一覧表示され、選択した最初の画像については最後の画像を選択するための選択対象枠が表示される。また、液晶ディスプレイ３１の最下部にはＡボタン３６の機能（「もどる」の機能）やＢボタン３７の機能（「決定」の機能）が表示される。最後の画像の選択は、最初の画像の選択と同様に４方向ボタン３２の操作により選択対象枠を移動させることができる。図１０には、４方向ボタン３２を上下左右方向に操作して選択対象枠を「画像Ｅ」に移動させた状態を示した。図示するように、選択対象枠を移動させても選択した最初の画像には異なる色の選択対象枠が表示され、範囲指定の最初の画像を容易に識別できるようになっている。最後の画像の選択は、最初の画像の選択と同様に、４方向ボタン３２を上下左右方向に操作することにより選択対象枠を所望の画像に移動させてＢボタン３７を操作することにより行なう。Ｂボタン３７を押して最後の画像を選択すると、選択した画像を識別するＩＤをワークメモリ４０ｃの最後の画像を書き込むために設定されたアドレスに書き込む。
【００２７】
こうして最後の画像の選択が受け付けられると、ワークメモリ４０ｃに書き込んだ最初の画像のＩＤと最後の画像のＩＤとを読み込み、ＩＤがその範囲に含まれる全ての画像に対してワークメモリ４０ｃに書き込んだ印刷枚数を設定し（ステップＳ１８０）、ステップＳ１２０の処理、即ち図６に例示した画像選択画面を液晶ディスプレイ３１に表示して画像選択の入力を受け付ける処理に戻る。図８ないし図９の各画面を用いて、印刷枚数として「０２」枚を入力し、最初の画像として「画像Ｂ」を選択し、最後の画像として「画像Ｅ」を選択したときの画像選択画面の一例を図１１に示す。図示するように、実施例では、範囲指定された画像の全てに印刷枚数の「０２」を画像の上に重ねて表示することにより範囲指定された画像をその他の画像と識別可能に表示し、最後の画像として選択した画像には印刷枚数を「０２」とした状態の設定対象枠を表示することにより、現在対象となっている画像を識別可能に表示するものとした。前述したように、画像選択画面では、４方向ボタン３２を左右方向に操作することにより設定対象枠を所望の画像に移動させて印刷枚数を入力したり変更することができる。また、この画像選択画面が表示されている状態でメニューボタン３５を押すことにより、図７に例示した画像選択入力画面を表示させて「範囲指定選択」の項目を選択して再び範囲指定による印刷枚数の設定を伴う画像の選択（ステップＳ１４０〜Ｓ１８０）を行なうこともできる。この場合、範囲指定された画像に対して入力した印刷枚数を重ねて設定することができる。例えば、画像のＩＤが「００１」〜「１００」の１００枚の画像に対してＩＤの範囲として「０２１」〜「０７０」の画像を範囲指定して「０２」枚の印刷枚数を設定し、その後、ＩＤの範囲として「０４１」〜「０５０」の画像を範囲指定して「０４」枚の印刷枚数を設定した場合には、ＩＤの範囲として「０２１」〜「０４０」と「０５１」〜「０７０」の画像に対しては「０２」の印刷枚数が設定され、ＩＤの範囲として「０４１」〜「０５０」の画像に対しては「０４」枚の印刷枚数が設定される。
【００２８】
図７の画像選択入力画面で４方向ボタン３２を上下方向に操作して「すべての画像を１枚選択」の項目を選択した状態でＢボタン３７を押すと、記憶媒体５３に記憶されているすべての画像に対して「０１」枚の印刷枚数が設定された状態として図６に例示する画像選択画面に戻る。また、図７の画像選択入力画面で４方向ボタン３２を上下方向に操作して「すべての画像を選択解除」の項目を選択した状態でＢボタン３７を押すと、記憶媒体５３に記憶されているすべての画像に対して「００」枚の印刷枚数が設定された状態、即ちいずれの画像に対しても印刷枚数が設定されていない初期状態として図６に例示する画像選択画面に戻る。
【００２９】
このようにして図６の画像選択画面を用いて個別の画像に印刷枚数を設定したり範囲指定して対象となる画像に印刷枚数を設定したりして印刷しようとする画像に所望の印刷枚数を設定し、図６の画像選択画面を表示している状態で印刷ボタン３３を押すと、ＲＯＭ４０ｂに予め記憶しておいた図１２に例示する印刷確認画面を液晶ディスプレイ３１に表示して印刷の確認を受け付ける処理を行なう（ステップＳ１９０）。図１２の例では、液晶ディスプレイ３１の上部には「印刷ボタンで印刷を開始します。」などのメッセージが表示され、その下には「選んで印刷」，「４枚使用」，「ハガキ」，「写真用紙」，「日付なし」などの印刷条件が表示され、最下部にはＡボタン３６の機能（「もどる」の機能）やＢボタン３７の機能（「設定」の機能）が表示される。印刷条件は、Ｂボタン３７を押すことにより、設定の変更を行なうことができる。この図１２の印刷確認画面が表示された状態で印刷ボタン３３が押されると、選択された画像を印刷枚数を用いてレイアウトし、ＵＳＢ接続端子５５にカラープリンタで印刷されるようＵＳＢホストコントローラ５４とカラープリンタに組み込まれた図示しないＵＳＢデバイスコントローラとの通信を用いてカラープリンタによる印刷の実行を行なう（ステップＳ２００）。実施例のデジタルカメラ２０では、選択された画像を印刷条件に応じてページ毎にレイアウトすると共にレイアウトに組み込まれる画像を記憶媒体５３から読み込んで展開し、ＲＧＢデータをＣＭＹＫデータに色変換し、ディザ法などを用いて色毎に２値化し、ＵＳＢ接続端子５５に接続されたカラープリンタで印刷可能な印刷データとした後に、この印刷データをＵＳＢホストコントローラ５４によって通信を管理しながらカラープリンタで印刷されるよう送信する。なお、こうした印刷指示処理以降の動作については本発明の中核をなさないから、これ以上の詳細な説明は省略する。
【００３０】
以上説明した実施例のデジタルカメラ２０によれば、撮影順に一覧表示された画像から所望の二つの画像を選択することにより、その範囲に属する画像に対して印刷枚数を設定することができる。この結果、印刷すべき複数の画像を容易に選択することができる。しかも、所望の印刷枚数を入力することができるから、印刷すべき複数の画像に対する印刷枚数を容易に設定することができる。また、個別に画像を選択して印刷枚数を変更することができるから、複数の画像を任意に印刷枚数を設定して印刷することができる。さらに、範囲指定による複数の画像に対する印刷枚数の設定を重ねて複数回行なうことができるから、複数の画像に対する印刷枚数の設定の自由度を高くすることができる。さらに、印刷枚数を「００」枚とすることにより、印刷枚数の設定を解除することができる。加えて、図７に例示する画像選択入力画面で「すべての画像を選択解除」の項目を選択することにより、すべての画像に対して設定された印刷枚数を解除することができる。これらの結果、所望の画像に対して所望の印刷枚数を容易に迅速に設定して印刷することができる。
【００３１】
実施例のデジタルカメラ２０では、記憶媒体５３が記憶手段に相当し、液晶ディスプレイ３１が一覧表示手段に相当し、図４に例示する処理のステップＳ１６０およびステップＳ１７０の処理を実行するＣＰＵ４０ａが選択受付手段に相当し、図４に例示する処理のステップＳ１８０の処理を実行するＣＰＵ４０ａが印刷画像設定手段に相当し、図４に例示する処理のステップＳ２００の処理を実行するＣＰＵ４０ａやＵＳＢホストコントローラ５４が印刷画像送信手段に相当する。
【００３２】
実施例のデジタルカメラ２０では、撮影順に一覧表示された画像から所望の二つの画像を選択して範囲指定する際に印刷枚数を入力できるものとしたが、印刷枚数は「０１」枚のように予め設定された枚数が設定され、所望の印刷枚数を入力することができないものとしてもよい。
【００３３】
実施例のデジタルカメラ２０では、範囲指定による複数の画像に対する印刷枚数の設定を重ねて複数回行なうことができるものとしたが、範囲指定による複数の画像に対する印刷枚数の設定は１回だけに限られ、重ねて複数回行なうことができないものとしてもよい。
【００３４】
実施例のデジタルカメラ２０では、印刷枚数に「００」枚を入力することにより印刷枚数の設定を解除することができるものとしたが、印刷枚数の解除を設定する処理を別に設けるものとしても差し支えない。
【００３５】
実施例のデジタルカメラ２０では、範囲指定による複数の画像に対する印刷枚数の設定で最初の画像が選択されたときには最初の画像に対して異なる色の選択対象枠を表示することにより選択した最初の画像を識別可能なものとしたが、選択した最初の画像を識別可能に表示すればよいから、異なる色の選択対象枠を表示する手法以外の手法により選択した最初の画像を識別可能に表示するものとしてもよい。
【００３６】
実施例のデジタルカメラ２０では、範囲指定された画像の全てに印刷枚数を画像の上に重ねて表示することにより範囲指定された画像をその他の画像と識別可能に表示するものとしたが、印刷枚数を表示する以外の手法により範囲指定された画像をその他の画像と識別可能に表示するものとしてもよい。
【００３７】
実施例のデジタルカメラ２０では、カラープリンタとＵＳＢ接続するものとしたが、他の手法によりカラープリンタと接続とするものとしてもよい。
【００３８】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３９】
本発明は、カメラ産業に利用可能である。
【図面の簡単な説明】
【００４０】
【図１】実施例のデジタルカメラ２０の外観を例示する斜視図。
【図２】実施例のデジタルカメラ２０の背面を例示する背面図。
【図３】実施例のデジタルカメラ２０の機能ブロックを例示するブロック図。
【図４】印刷指示処理の一例を示すフローチャート。
【図５】画像選択手法選択画面の一例を表示する背面３０を示す説明図。
【図６】画像選択画面の一例を表示する背面３０を示す説明図。
【図７】画像選択入力画面の一例を表示する背面３０を示す説明図。
【図８】印刷枚数入力画面の一例を表示する背面３０を示す説明図。
【図９】最初の画像の設定画面の一例を表示する背面３０を示す説明図。
【図１０】最後の画像の設定画面の一例を表示する背面３０を示す説明図。
【図１１】範囲指定後の画像選択画面の一例を表示する背面３０を示す説明図。
【図１２】印刷確認画面の一例を表示する背面３０を示す説明図。
【符号の説明】
【００４１】
２０  デジタルカメラ、２１  ズーム機構付きレンズ、２２  電源ボタン、２３  モードダイヤル、２４  シャッターボタン、２５  タイマー点灯部、３０  背面、３１  液晶ディスプレイ、３１  液晶ディスプレイ、３２  ４方向ボタン、３３  印刷ボタン、３４ａ  Ｗボタン、３４ｂ  Ｔボタン、３５  メニューボタン、３６  Ａボタン、３７  Ｂボタン、３８  ディスプレーボタン、３９  レビューボタン、４０ａ  ＣＰＵ、４０ｂ  ＲＯＭ、４０ｃ  ワークメモリ、４２  光学系、４３  イメージセンサ、４４  センサコントローラ、４５  アナログフロントエンド（ＡＦＥ）部、４６  デジタル画像処理部、４７  圧縮伸張部、５０  ディスプレイコントローラ、５２  入出力インタフェース、５３  記憶媒体、５４  ＵＳＢホストコントローラ、５５  ＵＳＢ接続端子。
【図１】
2005072758.tif 000003
【図２】
2005072758.tif 000004
【図３】
2005072758.tif 000005
【図４】
2005072758.tif 000006
【図５】
2005072758.tif 000007
【図６】
2005072758.tif 000008
【図７】
2005072758.tif 000009
【図８】
2005072758.tif 000010
【図９】
2005072758.tif 000011
【図１０】
2005072758.tif 000012
【図１１】
2005072758.tif 000013
【図１２】
2005072758.tif 000014